(57)【要約】【課題】加入者への着信サービス制御に用いる加入者プロファイルを記憶するための複数の記憶領域を有し、現在月に応じてそれら記憶領域が択一的に参照される加入者データベースから、加入者プロファイルの内容に変更があった場合に転送されたプロファイルを記憶しておき、この記憶されたプロファイルを参照して、加入者への着信サービス制御を行う交換機において、プロファイルデータを月次処理として転送することによるバースト的なデータ転送発生を防止する。【解決手段】対応する記憶領域から転送された内容を記憶するための領域である複数の記憶面と、それらについての参照開始月を示す参照開始月情報を保持する保持領域とを設け、着信サービス制御に必要となるプロファイルが変更された場合、変更時に交換機へ転送し、かつ、その変更内容の適用開始月を管理することにより、上記バースト的なデータ転送発生を防止できる。【選択図】図１
2010193109.tif 000002
【特許請求の範囲】
【請求項１】
加入者への着信サービス制御に用いる加入者情報を記憶するための複数の記憶領域を有し、現在月に応じてそれら記憶領域が択一的に参照される加入者情報データベースと、加入者情報の内容に変更があった場合に前記加入者データベースから転送された加入者情報を記憶しておき、この記憶された加入者情報を参照して、前記加入者への着信サービス制御を行う交換機とを含む移動通信システムであって、前記複数の記憶領域に対応して設けられ、対応する記憶領域から転送された内容を記憶するための領域である複数の記憶面と、前記複数の記憶面それぞれに対応して設けられ対応する記憶面についての参照開始月を示す参照開始月情報を保持する参照開始月情報保持領域と、保持されている参照開始月情報が現在月と一致する参照開始月情報保持領域がある場合にはその保持領域に対応する記憶面を参照し、一致する参照開始月情報保持領域がない場合には現在月に最も近い過去月を参照開始月情報とする参照開始月情報保持領域に対応する記憶面を参照するように制御する参照制御手段とを含むことを特徴とする移動通信システム。
【請求項２】
前記加入者情報の内容は、新規契約が行われた場合および契約内容の変更が行われた場合に、変更されることを特徴とする請求項１記載の移動通信システム。
【請求項３】
加入者への着信サービス制御に用いる加入者情報を記憶するための複数の記憶領域を有し、現在月に応じてそれら記憶領域が択一的に参照される加入者情報データベースから、加入者情報の内容に変更があった場合に転送された加入者情報を記憶しておき、この記憶された加入者情報を参照して、前記加入者への着信サービス制御を行う交換機であって、前記複数の記憶領域に対応して設けられ、対応する記憶領域から転送された内容を記憶するための領域である複数の記憶面と、前記複数の記憶面それぞれに対応して設けられ対応する記憶面についての参照開始月を示す参照開始月情報を保持する参照開始月情報保持領域と、保持されている参照開始月情報が現在月と一致する参照開始月情報保持領域がある場合にはその保持領域に対応する記憶面を参照し、一致する参照開始月情報保持領域がない場合には現在月に最も近い過去月を参照開始月情報とする参照開始月情報保持領域に対応する記憶面を参照するように制御する参照制御手段とを含むことを特徴とする交換機。
【請求項４】
前記加入者情報の内容は、新規契約が行われた場合および契約内容の変更が行われた場合に、変更されることを特徴とする請求項３記載の交換機。
【発明の詳細な説明】
【技術分野】
【０００１】
本発明は移動通信システム、交換機に関し、特に移動通信端末のユーザである、加入者に関するプロファイル情報を管理する機能を有する移動通信システム、交換機に関する。
【背景技術】
【０００２】
（移動通信システムの概要）
一般に、移動通信システムにおいて、移動通信端末に対する着信があった場合には、その移動通信端末を呼出すページング処理が行われる。そのページング処理を行うためには、移動通信端末を使用する加入者の現在位置に関する情報を取得する必要がある。加入者の現在位置に関する情報は、ＨＬＲ（Home Location Register）またはＶＬＲ（Visitor Location Register）を参照することによって得られる（例えば、特許文献１）。
【０００３】
特許文献１において、ＨＬＲには、加入者に関する情報（以下、加入者情報と呼ぶ）が、その加入者の現在位置に関わらず永続的に記憶される。一方、ＶＬＲには、ＨＬＲから取得された加入者情報が記憶される。このＶＬＲには、加入者が、対応する無線エリア内に位置している間に限り、加入者情報が記憶される。
ＨＬＲ方式が採用される場合、発着信があると、ＨＬＲがアクセスされ、発着信毎に加入者の位置情報や認証情報の確認が行われる。例えば、着信時には、ＨＬＲがアクセスされ、加入者の位置情報すなわち現在位置している無線セルに関する情報の確認が行われる。そして、現在位置している無線セルに対するページング処理が行われる。なお、ＶＬＲ方式が採用される場合、ＨＬＲに記憶されている加入者情報が一時的にＶＬＲに記憶される。そして、発着信があると、ＶＬＲがアクセスされ、上記と同様に、発着信毎に加入者の位置情報や認証情報の確認が行われる。
【０００４】
ところで、近年、回線交換機（ＣＳ：Circuit Switch）がＩＰ（Internet Protocol）ベースの技術で実現されることに伴い、機能分担により、加入者ＤＢに相当するＤＢ機能が交換機（ＭＳＣ：Mobile Switching Center）内に設けられる。その場合、着信があった際には、ＨＬＲが参照されるのではなく、交換機内のＤＢ機能が参照対象となる。
このように、参照先が変更になったことに伴い、これまで加入者ＤＢに保持していた加入者情報のうち着信処理などの着信サービス制御に必要となる情報（以下、「加入者プロファイル」と呼ぶ）を交換機へ転送する処理頻度・処理量が増加する傾向にある。ここで、加入者プロファイルの転送処理の起動契機は、加入者プロファイルの変更時、あるいは、在圏交換機の変更時である。
【０００５】
加入者プロファイルの例として、割引契約区分がある。この割引契約区分が変更となる契機は、ユーザからの契約変更時である。この契約変更には「現時点から変更」と「翌月から変更」との２つのタイミングがあり、その情報を管理するため、加入者プロファイルの記憶領域上では割引契約情報について２面管理が行われている。すなわち、例えば、記憶領域のＡ面を奇数月用、記憶領域のＢ面を偶数月用として管理する。そして、月次処理として、月末から月初へ変わる際に、当月に対応する面（例えば、Ａ面）から翌月に対応する面（例えば、Ｂ面）へ情報のコピーが行われる。この月次処理の契機において、加入者プロファイルの内容が変更となるため、交換機へ加入者プロファイルを転送する必要がある。
【０００６】
（加入者ＤＢの構成例）
図７は、ＨＬＲとして機能する加入者データベースの構成を示すブロック図である。同図において、本例の加入者データベース（以下、加入者ＤＢと呼ぶ）２０は、顧客情報変更システムの顧客情報入力装置１０から入力された情報を記憶し、記憶内容について交換機３０−ｎ（ｎ＝１、２）への転送が可能な装置であり、記憶部２１と、顧客情報管理インタフェース２２と、制御部２３と、交換機インタフェース２４とを含んで構成されている。
【０００７】
顧客情報管理インタフェース２２は、顧客情報入力装置１０とのインタフェース機能を有している。
記憶部２１は、顧客情報管理インタフェース２２からの参照が可能であり、加入者情報処理部２６から加入者情報問い合わせ、加入者情報処理変更された情報を蓄積する。この加入者記憶部２１には複数の記憶領域が存在する。本例では、Ａ面２１−Ａと、Ｂ面２１−Ｂとが存在し、月次処理により、それらが交互に参照される。例えば、奇数月にＡ面２１−Ａが参照され、偶数月にＢ面２１−Ｂが参照される。
【０００８】
制御部２３は、月次処理部２５と、加入者情報処理部２６と、転送処理部２７とを含んで構成されている。月次処理部２５は、記憶部２１の記憶領域の２つの面について、暦の月が変わるたびに、参照対象となる面を切り替える処理を行う。つまり、現在月に応じて上記記憶領域が択一的に参照される。加入者情報処理部２６は、ユーザの契約情報変更時に顧客情報管理インタフェース２２から要求を受けて、記憶部２１の設定情報（つまり、記憶内容）を変更する。また、加入者情報処理部２６は、月次処理部２５からの要求を受けて、記憶部２１の設定情報を変更するとともに、転送処理部２７へプロファイル転送要求を実施する。
【０００９】
転送処理部２７は、加入者情報処理部２６の要求を受けて、変更された記憶内容を加入者の在圏するエリアに対応する交換機３０−ｎへ転送する。
交換機インタフェース２４は、転送処理部２７から受取った情報を交換機３０−ｎへ送信する。
以上のような構成からなる加入者ＤＢ２０の動作例について、図８を参照して説明する。同図において、顧客情報入力装置１０により加入者による新規契約が行われた場合または契約内容の変更が行われた場合、加入者情報処理部２６による加入者記憶部２１への書込みが行われる。すると、それと同じ内容が転送処理部２７によって交換機３０−ｎに転送されて保持される（同図中の実線Ｊ１）。
【００１０】
一方、月次処理の場合、月次処理部２５および加入者情報処理部２６による記憶部２１へのデータの書換え処理が行われる。すると、転送処理部２７によって同様に交換機３０−ｎに対するデータ書き換え処理も行われる（同図中の一点鎖線Ｊ２）。
さらに、図９を参照して上記の動作について説明する。図９は、図８の加入者ＤＢの動作例を示すフローチャートである。
【００１１】
同図において、契約者すなわち加入者の申告により、契約内容が変更されると、その内容が顧客情報入力装置１０から入力される（ステップＳ１００）。新規契約が行われた場合も同様に、その内容が顧客情報入力装置１０から入力される。すると、入力された契約内容の開始月を参照し、開始月が奇数月の場合Ａ面、偶数月の場合Ｂ面の加入者プロファイルを参照し、顧客情報入力装置１０から入力された契約内容と差分があるか判定が行われる（ステップＳ１０１）。この判定の結果、差分が無い場合、処理は終了となる（ステップＳ１０１→Ｓ１０２）。一方、ステップＳ１０１の判定の結果、差分がある場合、さらに、開始月が当月であるか判定する（ステップＳ１０１→Ｓ１０３）。
【００１２】
この判定の結果、開始月が当月である場合、設定されている加入者プロファイルを、入力された契約内容に更新する（ステップＳ１０３→Ｓ１０４）。一方、ステップＳ１０３の判定の結果、開始月が当月でない場合、フラグをｏｎに変更した後（ステップＳ１０３→Ｓ１０５）、設定されているプロファイルを、入力された契約内容に更新する（ステップＳ１０５→Ｓ１０４）。
以上のようにプロファイルの内容が変更された場合、その変更内容が加入者データベースに保存される（ステップＳ１０６）。そして、プロファイルが更新されたので、変更後のプロファイルの内容が交換機へ送信される（ステップＳ１０７）。変更後のプロファイルの内容を受信した交換機３０−ｎでは、記憶内容が更新される（ステップＳ１０８）。
【００１３】
また、加入者データベース２０内のタイマによって月次処理期間が管理されており、月次処理の要否が判定される。最初に、プロファイルのＡ面の内容とＢ面の内容とに差分があるか判定される（ステップＳ１１１）。この判定の結果、差分が無い場合、処理は終了となる（ステップＳ１１２）。一方、ステップＳ１１１の判定の結果、差分がある場合、さらにフラグがｏｆｆであるか判定される（ステップＳ１１１→Ｓ１１３）。この判定の結果、フラグがｏｎであれば、月次処理は起動されず、フラグがｏｆｆに変更され、処理は終了となる（ステップＳ１１３→Ｓ１１４→Ｓ１１２）。
【００１４】
ステップＳ１１３の判定の結果、フラグがｏｆｆであれば、月次処理が起動され、Ａ面の内容がＢ面にコピーまたはＢ面の内容がＡ面にコピーされる（ステップＳ１１３→Ｓ１１５）。
以上のようにプロファイルの内容が変更された場合、その変更内容が加入者データベースに保存される（ステップＳ１０６）。そして、プロファイルが更新されたので、変更後のプロファイルの内容が交換機へ送信される（ステップＳ１０７）。変更後のプロファイルの内容を受取った交換機３０−ｎでは、記憶内容が更新される（ステップＳ１０８）。
【００１５】
以上の処理について、図１０を参照してより具体的に説明する。同図は、加入者プロファイルとその設定情報の変更を説明するための図である。同図は、「日付」、日付に対する「イベント」、「加入者ＤＢ上のプロファイル設定値」、および、データについての「転送要否」、を項目としている。
同図中の「イベント」については、ユーザに関するイベント、システム起動に関するイベント、という２つの項目に分けて表現されている。
【００１６】
加入者ＤＢには、プロファイルを記憶する記憶領域としてＡ面、Ｂ面がある。そして、同図では、参照されている面が網掛け表示されている。また、加入者ＤＢ上のプロファイルにはフラグが付加されている。このフラグは、契約内容に変更があるか否かを示している。このフラグが「１」（ｏｎ）である場合はその内容に変更があることを示し、「０」（ｏｆｆ）である場合はその内容に変更がないことを示している。なお、新規契約の場合、契約内容に変更がない、とし、フラグを「０」とする。
【００１７】
同図において、「５月１０日」の時点で加入者による新規契約を開始する場合について説明する。この場合、新規契約なので、プロファイルの参照の開始日は当日から、となる。この場合、奇数月なので、加入者ＤＢ上のＡ面に、プロファイル設定値が書込まれる。例えば、契約内容は「あ」である。
その後、５月末の時点では、Ａ面の内容とＢ面の内容とが一致しない。すなわち、５月末の時点でＢ面は空白なので、Ａ面の内容と一致しない。このため、プロファイルデータの転送が必要であり、契約内容「あ」について、加入者ＤＢ上のＡ面からＢ面へのコピーが行われる。
【００１８】
この月次処理によるＡ面からＢ面へのコピー後、月が変わり、「６月１日」の時点から、偶数月に対応するＢ面の参照が開始される。
その後、６月末の時点で、Ａ面の内容とＢ面の内容とが一致しているため、プロファイルデータの転送が不要であり、月次処理によるデータのコピーは行われない。そして、月が変わり、「７月１日」の時点から、奇数月に対応するＡ面の参照が開始される。
【００１９】
その後、「７月１０日」の時点で契約内容が変更されると、新規契約では無いので、その変更後のプロファイルについては翌月から（すなわち８月１日から）参照が開始される。ここでは、Ｂ面に契約内容「い」が書込まれる。さらに、契約内容に変更があるか否かを示すフラグが「１」（つまり、変更があることを示す値）に設定される。このフラグが「１」に設定されることにより、データが上書きされてしまうことを防止できる。
【００２０】
７月末の時点で、Ａ面の内容が「あ」、Ｂ面の内容が「い」であり、両者は一致しない。したがって、本来ならば、Ａ面からＢ面へのコピーが行われるはずであるが、上記のフラグが「１」に設定されているので、加入者ＤＢ上のＡ面からＢ面へのコピーは行われない。そして、「８月１日」の時点から、偶数月に対応するＢ面の参照が開始される。なお、上記のフラグは「０」に設定される。
【００２１】
８月末の時点で、Ａ面の内容が「あ」、Ｂ面の内容が「い」であり、両者は一致しない。したがって、データの転送が必要であり、契約内容「い」について、加入者ＤＢ上のＢ面からＡ面へのコピーが行われる。そして、「９月１日」の時点から、奇数月に対応するＡ面の参照が開始される。
以上の動作においては、交換機において、記憶されているプロファイルの参照面は、図１１のように判定される。すなわち、現在の月が奇数月か偶数月か判定され（ステップＳ２０１）、奇数月である場合はＡ面に記憶されているプロファイルが参照され（ステップＳ２０１→Ｓ２０２）、偶数月である場合はＢ面に記憶されているプロファイルが参照される（ステップＳ２０１→Ｓ２０３）。
【先行技術文献】
【特許文献】
【００２２】
【特許文献１】特表２００２−５０３９３２号公報
【発明の概要】
【発明が解決しようとする課題】
【００２３】
上述したように記憶領域について２面管理が行われると、加入者データの転送がバースト的に行われる可能性がある。これについて、図１２および図１３を参照して説明する。
図１２は、上記の新規契約時または契約内容の変更時の処理に対応するシーケンス図である。同図には、顧客情報入力装置１０、加入者ＤＢ２０、および、交換機３０−ｎにおける信号授受の様子が示されている。同図において、ユーザが新規契約を行った場合または契約内容の変更を行った場合、顧客情報入力装置１０から加入者ＤＢ２０へ契約情報変更要求が送信される（ステップＳ８０１）。例えば、割引契約区分に関するデータの変更要求が送信される。すると、契約情報変更応答が加入者ＤＢ２０から顧客情報入力装置１０へ返信される（ステップＳ８０２）。
【００２４】
その後、加入者ＤＢ２０では、加入者プロファイルの情報が変更される（ステップＳ８０３）。加入者プロファイルの情報が変更された場合、その変更内容を交換機３０−ｎ内の記憶内容に反映させる必要がある。このため、加入者ＤＢ２０から交換機３０−ｎへＩＳＤ（Insert Subscriber Data）信号が送信される（ステップＳ８０４）。例えば、割引契約区分に関するデータのＩＳＤ信号が送信される。すると、ＩＳＤ信号に対する応答信号が、交換機３０−ｎから加入者ＤＢ２０へ返信される（ステップＳ８０５）。
【００２５】
一方、図１３は、上記の月次処理に対応するシーケンス図である。同図には、顧客情報入力装置１０、加入者ＤＢ２０、および、交換機３０−ｎにおける信号授受の様子が示されている。同図において、月次処理により、月が変わるタイミングで加入者プロファイルについてコピーが行われる（ステップＳ９０１）。これにより、加入者ＤＢ２０では、加入者プロファイルの情報が変更されることになる。加入者プロファイルの情報が変更された場合、その変更内容を交換機３０−ｎ内の記憶内容に反映させる必要がある。このため、加入者ＤＢ２０から交換機３０−ｎへＩＳＤ信号が送信される（ステップＳ９０２）。例えば、割引契約区分に関するデータのＩＳＤ信号が送信される。すると、ＩＳＤ信号に対する応答信号が、交換機３０−ｎから加入者ＤＢ２０へ返信される（ステップＳ９０３）。
【００２６】
このとき、ＩＳＤ信号およびそれに対する応答信号が多数生じるため、バーストが発生する（ステップＳ９００）。図１２を参照して説明した、契約情報変更要求（ステップＳ８０１）は、ユーザ単位で起動されるので、ＩＳＤ信号（ステップＳ８０４）もユーザ単位に送信されるので、バーストは発生しない。これに対し、図１３を参照して説明した、ＩＳＤ信号（ステップＳ９０２）およびそれに対する応答信号（ステップＳ９０３）は、月次処理によって大量に送信されるため、転送がバースト的に行われる。このような月次処理によって発生するバースト転送は、ネットワークリソースを圧迫することになり、好ましくない。
本発明は上述した従来技術の問題点を解決するためになされたものであり、その目的は月次処理によるデータのバースト転送を抑えることのできる移動通信システム、交換機を提供することである。
【課題を解決するための手段】
【００２７】
本発明の請求項１による移動通信システムは、加入者への着信サービス制御に用いる加入者情報を記憶するための複数の記憶領域を有し、現在月に応じてそれら記憶領域が択一的に参照される加入者情報データベースと、加入者情報の内容に変更があった場合に前記加入者データベースから転送された加入者情報を記憶しておき、この記憶された加入者情報を参照して、前記加入者への着信サービス制御を行う交換機とを含む移動通信システムであって、前記複数の記憶領域に対応して設けられ、対応する記憶領域から転送された内容を記憶するための領域である複数の記憶面（例えば、図２中の１面３１−１、２面３１−２）と、前記複数の記憶面それぞれに対応して設けられ対応する記憶面についての参照開始月を示す参照開始月情報を保持する参照開始月情報保持領域（例えば、図２中の開始月記憶部１１、１２）と、保持されている参照開始月情報が現在月と一致する参照開始月情報保持領域がある場合にはその保持領域に対応する記憶面を参照し、一致する参照開始月情報保持領域がない場合には現在月に最も近い過去月を参照開始月情報とする参照開始月情報保持領域に対応する記憶面を参照するように制御する参照制御手段（例えば、図２中の制御部３４）とを含むことを特徴とする。
このような構成によれば、ユーザによる新規契約または契約内容の変更が生じた場合、その都度交換機の保持内容に反映させると共に、交換機の保持内容についての参照開始月に関する情報を保持し、それに基づいて参照面を決めているため、月次処理によるデータのバースト転送を抑えることができる。
【００２８】
本発明の請求項２による移動通信システムは、請求項１において、前記加入者情報の内容は、新規契約が行われた場合および契約内容の変更が行われた場合に、変更されることを特徴とする。
このような構成によれば、契約内容が変更された場合に、その都度交換機の保持内容に反映させると共に、交換機の保持内容についての参照開始月に関する情報を保持し、それに基づいて参照面を決めているため、月次処理によるデータのバースト転送を抑えることができる。
【００２９】
本発明の請求項３による交換機は、加入者への着信サービス制御に用いる加入者情報を記憶するための複数の記憶領域を有し、現在月に応じてそれら記憶領域が択一的に参照される加入者情報データベースから、加入者情報の内容に変更があった場合に転送された加入者情報を記憶しておき、この記憶された加入者情報を参照して、前記加入者への着信サービス制御を行う交換機であって、前記複数の記憶領域に対応して設けられ、対応する記憶領域から転送された内容を記憶するための領域である複数の記憶面（例えば、図２中の１面３１−１、２面３１−２）と、前記複数の記憶面それぞれに対応して設けられ対応する記憶面についての参照開始月を示す参照開始月情報を保持する参照開始月情報保持領域（例えば、図２中の開始月記憶部１１、１２）と、保持されている参照開始月情報が現在月と一致する参照開始月情報保持領域がある場合にはその保持領域に対応する記憶面を参照し、一致する参照開始月情報保持領域がない場合には現在月に最も近い過去月を参照開始月情報とする参照開始月情報保持領域に対応する記憶面を参照するように制御する参照制御手段（例えば、図２中の制御部３４）とを含むことを特徴とする。
このような構成によれば、ユーザによる新規契約または契約内容の変更が生じた場合、その都度交換機の保持内容に反映させると共に、交換機の保持内容についての参照開始月に関する情報を保持し、それに基づいて参照面を決めているため、月次処理によるデータのバースト転送を抑えることができる。
【００３０】
本発明の請求項４による交換機は、請求項３において、前記加入者情報の内容は、新規契約が行われた場合および契約内容の変更が行われた場合に、変更されることを特徴とする。
このような構成によれば、契約内容が変更された場合に、その都度交換機の保持内容に反映させると共に、交換機の保持内容についての参照開始月に関する情報を保持し、それに基づいて参照面を決めているため、月次処理によるデータのバースト転送を抑えることができる。
【発明の効果】
【００３１】
本発明によれば、ユーザによる新規契約または契約内容の変更が生じた場合、その都度交換機の保持内容に反映させると共に、交換機の保持内容についての参照開始月に関する情報を保持し、それに基づいて参照面を決めているため、月次処理によるデータのバースト転送を抑えることができる。
【図面の簡単な説明】
【００３２】
【図１】本発明の実施形態による加入者情報管理システムを含む移動通信システムの構成例を示すブロック図である。
【図２】図１中の交換機の構成例を示すブロック図である。
【図３】図１中の加入者ＤＢの動作例を示す図である。
【図４】図３の加入者ＤＢの動作例を示すフローチャートである。
【図５】加入者ＤＢ、交換機にそれぞれ保持されるプロファイル情報（プロファイル設定値）の例を示す図である。
【図６】交換機において、記憶されているプロファイルの参照面の判定の例を示す図である。
【図７】加入者ＤＢの構成を示すブロック図である。
【図８】加入者ＤＢの動作例を示す図である。
【図９】図９は、図８の加入者ＤＢの動作例を示すフローチャートである。
【図１０】加入者プロファイルとその設定情報の変更を説明するための図である。
【図１１】記憶されているプロファイルの参照面の判定の例を示す図である。
【図１２】新規契約時または契約内容の変更時の処理に対応するシーケンス図である。
【図１３】月次処理に対応するシーケンス図である。
【発明を実施するための形態】
【００３３】
以下、本発明の実施の形態を、図面を参照して説明する。なお、以下の説明において参照する各図では、他の図と同等部分は同一符号によって示されている。
（移動通信システムの構成例）
図１は、本発明の実施形態による移動通信システムの構成例を示すブロック図である。
同図において、本例の移動通信システムは、無線基地局５０−１〜５０−４と、基地局制御装置４０−１〜４０−４と、交換機３０−１、３０−２と、加入者ＤＢ（ＨＬＲ）２０と、顧客情報入力装置１０とを含んで構成されている。
【００３４】
無線エリア６０−１〜６０−４は、無線基地局５０−１〜５０−４から送出される電波が到達する範囲であり、これら無線エリア６０−１〜６０−４は無線基地局５０−１〜５０−４に対応して形成される。無線エリア６０−１〜６０−４のうち、いずれかのエリア内に移動通信端末が位置している場合、位置登録処理が加入者ＤＢ２０に対して行われる。
【００３５】
基地局制御装置４０−１〜４０−４は、無線基地局５０−１〜５０−４に対応して設けられ、対応する無線基地局の制御を行う。交換機３０−１、３０−２は移動通信端末から呼が発生した場合に着信サービス制御を行う装置である。
加入者ＤＢ２０は、顧客情報入力装置１０から入力される加入者情報を蓄積する機能を有している。この加入者ＤＢ２０は、交換機３０−１、３０−２のいずれからもアクセスが可能である。この加入者ＤＢ２０を参照することにより、通信相手である移動通信端末がどの無線エリアに位置しているか把握することができる。
【００３６】
（交換機の構成例）
図２は、本システムにおける交換機の構成例を示すブロック図である。同図において、本例の交換機３０−ｎは、記憶部３１と、通信部３２と、交換処理部３３と、制御部３４と、を含んで構成されている。本例では、１面３１−１、および、２面３１−２、という２つの記憶領域が、記憶部３１に設けられている。また、１面３１−１、２面３１−２に対応して設けられ、対応する面の参照開始月を示す開始月情報を記憶する開始月記憶部１１、１２が記憶部３１に設けられている。
【００３７】
通信部３２は、基地局制御装置や加入者ＤＢなど、他の装置とのインタフェースとしての機能を有している。
交換処理部３３は、呼が発生した場合に交換処理を行う機能を有している。
制御部３４は、記憶部３１に対する書込み、読出しなど、交換機３０−１内の各部を制御する機能を有している。この制御部３４は、現在月と記憶部３１の開始月記憶部１１、１２の記憶内容とを比較した結果に基づき、１面３１−１、２面３１−２のうち参照すべき面を決定する参照制御機能を有している。
このような構成において、交換機の記憶部３１に、２面の記憶領域があり、かつ、各面の参照開始月を示す開始月情報を管理することによって、月次処理が行われた場合のバースト的なデータ転送を抑止できる。
【００３８】
（加入者ＤＢの動作例）
図３は、加入者ＤＢ２０の動作例を示す図である。同図において、顧客情報入力装置１０により加入者による新規契約が行われた場合または契約内容の変更が行われた場合、加入者情報処理部２６による加入者記憶部２１への書込みが行われると、それと同じ内容が転送処理部２７によって交換機３０−ｎに送られて保持される（同図中の実線Ｊ１）。以上は、図８の場合と同様である。
【００３９】
これに対し、月次処理の場合、加入者情報処理部の処理内容が図８の場合と異なる。すなわち、加入者情報処理部２６は、加入者の新規契約時に顧客情報管理インタフェース２２から要求を受けて、記憶部２１に記憶されている情報を変更する。それと共に、加入者情報処理部２６は、転送処理部２７へプロファイル転送要求を送信する。また、加入者情報処理部２６は、月次処理部２５からの要求を受けて、記憶部２１に記憶されている情報を変更する。ただし、この変更の起因が月次処理（面間のコピー）であることから、転送処理部２７へのプロファイル転送要求の送信は行わない。したがって、月次処理の場合、月次処理部２５および加入者情報処理部２６による記憶部２１へのデータの書換え処理が行われても、交換機３０に対するデータ書き換え処理は行われない（同図中の一点鎖線Ｊ３）。このため、データ転送のバーストが発生することは無い。
【００４０】
ここで、図４は、図３の加入者ＤＢの動作例を示すフローチャートである。図４に示されている動作が図９の動作と異なる点は、以下のとおりである。すなわち、ステップＳ１０６において、変更されたプロファイルが加入者ＤＢに保存された場合に、プロファイルの更新契機が顧客情報入力装置からの入力であるか判定される（ステップＳ１０７ａ）。この判定の結果、ＮＯすなわち月次処理が契機である場合、処理は終了となる（ステップＳ１０７ａ→Ｓ１０７ｂ）。一方、プロファイルの更新契機が顧客情報入力装置からの入力である場合、変更後のプロファイルの内容が交換機へ転送され、変更後のプロファイルを受信した交換機３０−ｎでは、記憶内容が更新される（ステップＳ１０７ａ→Ｓ１０８）。
【００４１】
（本システムの動作例）
図５は、加入者ＤＢ２０、交換機にそれぞれ保持されるプロファイル情報（プロファイル設定値）の例を示す図である。同図は、「日付」、日付に対する「イベント」、「加入者ＤＢ上の加入者プロファイル設定値」、データについての「転送要否（理由）」、「交換機にある加入者プロファイル設定値」、および、「交換機側の判定処理と参照面」、を項目としている。
同図中の「イベント」には、ユーザに関するイベント、システム起動に関するイベント、という２つの項目がある。
【００４２】
加入者ＤＢには、プロファイルを記憶する記憶領域としてＡ面、Ｂ面がある。そして、同図では、日付ごとに、参照されている面が網掛け表示されている。
また、加入者ＤＢ上のプロファイルには、フラグが付加されている。このフラグは、契約内容に変更があるか否かを示している。本例では、このフラグが「１」（ｏｎ）である場合はその内容に変更があることを示し、「０」（ｏｆｆ）である場合はその内容に変更がないことを示している。なお、新規契約の場合、契約内容に変更がない、とし、フラグを「０」とする。
【００４３】
また、交換機には、プロファイルを記憶する記憶面として１面３１−１、２面３１−２がある。さらに、これら記憶面である１面３１−１、２面３１−２に対応して設けられ、対応する面の参照開始月を示す開始月情報を記憶する開始月記憶部１１、１２がある。
同図において、図１０の場合と同様に、「５月１０日」の時点で加入者による新規契約を開始する場合の動作について説明する。この場合、新規契約なので、プロファイルの参照の開始日は当日から、となる。この場合、奇数月なので、加入者ＤＢ上のＡ面に、プロファイルが書込まれる。例えば、契約内容は「あ」である。
【００４４】
加入者ＤＢ上のＡ面に書込まれた契約内容「あ」については、交換機に転送されて１面３１−１に保持される。さらに、１面の参照開始月は「５月」であることが交換機の開始月記憶部１１として、保持される。そして、現在の月と参照開始月を示す開始月記憶部１１、１２の開始月情報とが比較され、現在の月（つまり、５月）と開始月が同じ（つまり、一致する）開始月情報があるので、それに対応する記憶面（つまり、１面３１−１）が参照される。そして、５月の間は、１面３１−１が参照される。
【００４５】
その後、５月末の時点では、Ａ面の内容とＢ面の内容とが一致しない。すなわち、５月末の時点でＢ面は空白なので、Ａ面の内容と一致しない。このため、プロファイルデータの転送が必要であり、契約内容「あ」について、加入者ＤＢ上のＡ面からＢ面へのコピーが行われる。
この月次処理によるＡ面からＢ面へのコピー後、月が変わり、「６月１日」の時点で、現在の月と参照開始月を示す開始月記憶部１１、１２に記憶されている開始月情報とが比較され、現在の月（つまり、６月）と開始月が同じ（つまり、一致する）開始月情報が無いので、現在の月に最も近い過去の開始月情報に対応する面（つまり、１面３１−１）が参照される。そして、６月の間は、つまり、１面３１−１が参照される。
【００４６】
その後、６月末の時点で、Ａ面の内容とＢ面の内容とが一致しているため、プロファイルデータの転送が不要であり、月次処理によるデータのコピーは行われない。
さらに月が変わり、「７月１日」の時点で、現在の月と参照開始月を示す開始月記憶部１１、１２に記憶された開始月情報とが比較され、現在の月（つまり、７月）と開始月が同じ（つまり、一致する）開始月情報が無いので、現在の月に最も近い過去の開始月情報に対応する面（つまり、１面３１−１）が参照される。その後、「７月１０日」の時点で契約内容が変更されると、新規契約では無いので、その変更後のプロファイルについては翌月から（すなわち８月１日から）参照が開始される。ここでは、Ｂ面に契約内容「い」が書込まれる。さらに、契約内容に変更があるか否かを示すフラグが「１」（つまり、変更があることを示す値）に設定される。このフラグが「１」に設定されることにより、データが上書きされてしまうことを防止できる。また、加入者ＤＢ上のＢ面に書込まれた契約内容「い」については、交換機に転送されて記憶領域の２面３１−２に保持される。さらに、交換機の記憶領域の２面３１−２の参照開始月は「８月」であることが、開始月情報として開始月記憶部１２に保持される。
【００４７】
７月末の時点で、Ａ面の内容が「あ」、Ｂ面の内容が「い」であり、両者は一致しない。したがって、本来ならば、Ａ面からＢ面へのコピーが行われるはずであるが、上記のフラグが「１」に設定されているので、加入者ＤＢ上のＡ面からＢ面へのコピーは行われない。そして、月が変わり、「８月１日」の時点から、偶数月に対応するＢ面の参照が開始される。なお、上記のフラグは「０」に設定される。また、現在の月（つまり、８月）と参照開始月を示す開始月情報とが比較され、現在の月と開始月が同じ（つまり、一致する）開始月情報があるので、それに対応する面（つまり、２面３１−２）が参照される。そして、８月の間は２面３１−２が参照される。
【００４８】
８月末の時点で、Ａ面の内容が「あ」、Ｂ面の内容が「い」であり、両者は一致しない。したがって、データの転送が必要であり、契約内容「い」について、加入者ＤＢ上のＢ面からＡ面へのコピーが行われる。そして、月が変わり、「９月１日」の時点から、奇数月に対応するＡ面の参照が開始される。また、現在の月（つまり、９月）と参照開始月を示す開始月記憶部１１、１２の記憶内容とが比較され、現在の月と開始月が同じ（つまり、一致する）開始月情報が無いので、現在の月に最も近い過去の開始月記憶部１２の記憶内容に対応する面（つまり、２面３１−２）が参照される。
【００４９】
ここで、以上の処理を示す図３を再び参照すると、図８の場合の処理とは異なり、月次処理の場合、月次処理部２５および加入者情報処理部２６による記憶部２１へのデータの書換え処理が行われても、交換機３０に対するデータ書き換え処理は行われない（同図中の一点鎖線Ｊ３）。したがって、データ転送のバーストが発生することは無い。
【００５０】
以上の動作においては、交換機において、記憶されているプロファイルの参照面は、図６のように判定される。すなわち、現在の月と１面の参照開始月、２面の参照開始月とが比較され（ステップＳ３０１）、現在の月と開始月が同じ（つまり、一致する）面がある場合、その面のプロファイル設定値が参照され（ステップＳ３０１→Ｓ３０２）、現在の月と開始月が同じ（つまり、一致する）面が無い場合、現在の月に最も近い過去の月の面が参照される（ステップＳ３０１→Ｓ３０３）。
【００５１】
以上のように、本システムでは、ユーザによる新規契約または契約内容の変更が生じた場合、その都度交換機の保持内容に反映させると共に、交換機の保持内容についての参照開始月に関する情報を保持し、それに基づいて参照面を決めているため、月次処理の際にデータ転送のバーストが発生することは無い。
なお、上述した例では、記憶領域や記憶面を２つ設けておき、それらを交互に利用しているが、これに限らず、それより多くの記憶領域や記憶面を設けてもよい。その場合、それら記憶領域や記憶面は、現在月に応じて択一的に参照される。
また、上述した例では、複数の記憶面、参照開始月情報保持領域、参照制御手段である制御部、のすべてが交換機内に設けられている場合について説明したがすべてが交換機内に設けられている必要はなく、移動通信システムを構成するいずれかの装置内にそれらが設けられていればよい。
【００５２】
（まとめ）
既存の移動通信システムにおいて、着信サービス制御に必要となる加入者プロファイルを加入者情報データベースから交換機へ転送する場合、月次処理による大量データの転送がバースト的に発生する可能性がある。これを防止するため、本システムでは、変更した契約内容の適用開始月を管理する。
つまり、ユーザによる新規契約または契約内容の変更が生じた場合、その都度交換機の保持内容に反映させると共に、交換機の保持内容についての参照開始月に関する情報を保持し、それに基づいて参照面を決めているため、月次処理の際にデータ転送のバーストが発生することは無い。
【産業上の利用可能性】
【００５３】
本発明は、加入者プロファイル情報を管理する場合に利用できる。
【符号の説明】
【００５４】
１０  顧客情報入力装置
１１、１２  開始月記憶部
２０  加入者データベース
２１  加入者記憶部
２１−Ａ  Ａ面
２１−Ｂ  Ｂ面
２２  顧客情報管理インタフェース
２３  制御部
２４  交換機インタフェース
２５  月次処理部
２６  加入者情報処理部
２７  転送処理部
３０、３０−１、３０−２  交換機
３１  記憶部
３１−１  １面
３１−２  ２面
３２  通信部
３３  交換処理部
３４  制御部
４０−１〜４０−４  基地局制御装置
５０−１〜５０−４  無線基地局
６０−１〜６０−４  無線エリア
【図１】
2010193109.tif 000003
【図２】
2010193109.tif 000004
【図３】
2010193109.tif 000005
【図４】
2010193109.tif 000006
【図５】
2010193109.tif 000007
【図６】
2010193109.tif 000008
【図７】
2010193109.tif 000009
【図８】
2010193109.tif 000010
【図９】
2010193109.tif 000011
【図１０】
2010193109.tif 000012
【図１１】
2010193109.tif 000013
【図１２】
2010193109.tif 000014
【図１３】
2010193109.tif 000015